(57)【要約】    【課題】 チルト動作を行った場合においても余分な設置スペースを必要としない電動式昇降ベッドを提供すること。    【解決手段】 一対のベース１１、１１と、ベース１１、１１によりそれぞれ支持されるヘッドボード１２及びフットボード１３と、ヘッドボード１２及びフットボード１３をベース１１に対して上下に昇降させる昇降機構と、ヘッドボード１２とフットボード１３とを互いに連結する一対のフレーム１４、１４とを備える電動式昇降ベッド１０において、フレーム１４はヘッドボード１２に枢支されると共に、フレーム１４に沿って延在する長孔１４ｈを介してフットボード１３に枢支される構成としたこと。【選択図】  図３
2005110789.tif 000002
【特許請求の範囲】
【請求項１】
一対のベースと、
該ベースによりそれぞれ支持されるヘッドボード及びフットボードと、
該ヘッドボード及びフットボードを前記ベースに対して上下に昇降させる昇降機構と、
前記ヘッドボードとフットボードとを互いに連結する一対のフレームと
を備える電動式昇降ベッドにおいて、
前記フレームは前記ヘッドボードに枢支されると共に、前記フレームに沿って延在する長孔を介して前記フットボードに枢支されることを特徴とする電動式昇降ベッド。
【請求項２】
前記ベースは、剛性を有する連結部材を介して互いに連結されることを特徴とする請求項１に記載の電動式昇降ベッド。
【発明の詳細な説明】
【技術分野】
【０００１】
本発明は、アクチュエーターによりその設置面からボトム面までの高さを調整可能な電動式昇降ベッドに関するものである。
【背景技術】
【０００２】
従来のこの種の電動式昇降ベッドとしては、後述の非特許文献１に記載のものが公知となっている。ここで、この電動式昇降ベッドに関して、図１を参照して説明する。
【０００３】
電動式昇降ベッドＫＢは、一対のベース１、１と、両ベース１、１によりそれぞれ支持されるヘッドボード２及びフットボード３と、このヘッドボード２とフットボード３の間に延在すると共にその両端部にてヘッドボード２及びフットボード３とそれぞれ連結される一対のフレーム４、４とを主要な部材として備えている。ベース１の底面には、床面（ベッドが設置される面）に対する転動が可能であるキャスターＣが取り付けられている。また、両フレーム４、４間には複数の床板が配設され、これにより、ベッドのボトム面が形成されている。
【０００４】
ヘッドボード２及びフットボード３の内部には、ヘッドボード２及びフットボード３をベース１に対して上下に昇降させる昇降機構（図示なし）がそれぞれ設けられており、これにより、床面から前述のボトム面までの高さを所定の範囲内で調整可能な構成となっている。また、昇降機構は、ヘッドボード２側とフットボード３側とで独立した作動が可能であり、例えば、ヘッドボード２側をフットボード３側より高く昇降させてベッド全体を床面に対して傾斜させることにより、いわゆる“チルト動作”を行うことができる。図１においては、このチルト動作が行われた状態が示されている。
【非特許文献１】「Ｆｉｔ−Ｗｅｌ」 株式会社インタープレス、２００３年夏号、ｐ．１０
【発明の開示】
【発明が解決しようとする課題】
【０００５】
ところで、上記の電動式昇降ベッドＫＢにおいては、各フレーム４、４の両端部は、互いの相対的な移動が規制された状態で、ヘッドボード２及びフットボード３にそれぞれ連結されている。つまり、ヘッドボード２とフレーム４、フットボード３とフレーム４との間においては相対的な移動が許容されない構成となっており、例えば、昇降装置を作動させて前述のチルト動作を行った場合には、ヘッドボード２、フットボード３及びフレーム４における互いの位置関係が保持されたまま、ベッド全体が傾斜することとなる。この場合、ベース１、１並びに同ベース１、１によって支持されるヘッドボード２及びフットボード３も当然のことながら傾斜するため、この傾斜の分を許容できるだけの設置スペースを、通常の昇降動作時（非チルト動作時）の設置スペースに加えて余分に確保しておかなければならない。この余分に確保した設置スペースが必要となるのは、チルト動作を行った場合のみであり、スペースが効率よく使われているとは言い難い。
【０００６】
よって、本発明は上記の問題点に鑑みてなされたものであり、チルト動作を行った場合においても余分な設置スペースを必要としない電動式昇降ベッドを提供することを課題とする。
【課題を解決するための手段】
【０００７】
上記課題を解決するために、本発明にて講じた技術的手段は、請求項１に記載の様に、一対のベースと、該ベースによりそれぞれ支持されるヘッドボード及びフットボードと、該ヘッドボード及びフットボードを前記ベースに対して上下に昇降させる昇降機構と、前記ヘッドボードとフットボードとを互いに連結する一対のフレームとを備える電動式昇降ベッドにおいて、前記フレームは前記ヘッドボードに枢支されると共に、前記フレームに沿って延在する長孔を介して前記フットボードに枢支される構成としたことである。
【０００８】
好ましくは、請求項２に記載の様に、前記ベースは、剛性を有する連結部材を介して互いに連結される構成とすると良い。
【発明の効果】
【０００９】
請求項１に記載の発明によれば、フレームはヘッドボードに枢支されると共に、フレームに沿って延在する長孔を介してフットボードに枢支される構成となっている。この長孔は、フレームのフットボードに対する相対的な移動を可能とし、その結果、フレームは、フットボードに対して相対的に伸縮可能な構成となっている。したがって、ヘッドボード側の上方への昇降にともなって、フレームは、そのヘッドボード側においてはヘッドボードに対して下方へと枢軸回転する。一方で、フットボード側においては、フットボードに対して上方へと枢軸回転し、同時に、長孔の作用によってフットボードに対して相対的に伸縮するような格好となり、これにより、電動式昇降ベッドにおけるチルト動作が実現される。なお、このチルト動作の過程においては、ヘッドボードとフレームの位置だけが変化しており、ヘッドボードについては、当初の設置状態からベースに対して真っ直ぐに上方へと昇降し、フレームについては、長孔の作用によってヘッドボード及びフットボード間にて傾斜した状態となっている。ここで、電動昇降式ベッドの設置スペースについて着目してみると、上述のヘッドボードとフレームの位置が変化したことによって余分な設置スペースは必要となっていない。したがって、チルト動作時においても余分な設置スペースを必要としない電動式昇降ベッドを実現することができる。
【００１０】
請求項２に記載の発明によれば、長孔によりフレームに対する相対的な移動が許容されるフットボードを、ヘッドボードに対して、機能上適正な位置に設定することができる。さらには、両ベース間が強固に連結されることによって、ベッド全体としての剛性を向上させることができる。
【発明を実施するための最良の形態】
【００１１】
以下、本発明を実施するための最良の形態を、図面を基に説明する。
【００１２】
図２は、本発明の電動式昇降ベッド１０において、通常の昇降動作が行われた状態を示している。
【００１３】
本発明の電動式昇降ベッド１０は、一対のベース１１、１１と、ヘッドボード１２及びフットボード１３と、駆動機構（図示なし）と、一対のフレーム１４、１４とを主要な部材として備えている。
【００１４】
ベース１１は脚部１１ｂと支持部１１ｓとから構成されている。床面上に設置される脚部１１ｂは電動式昇降ベッド１０の土台として機能している。支持部１１ｓは、脚部１１ｂから上方に延在して設けられている。
【００１５】
ヘッドボード１２及びフットボード１３は、その内部にベース１１の支持部１１ｓが収容されるように一対のベース１１、１１にそれぞれ取り付けられることにより、ベース１１に支持される構成となっている。
【００１６】
また、ヘッドボード１２とフットボード１３の内部には昇降機構（図示なし）がそれぞれ設けられている。この昇降機構としては、例えば、モータ、ウォーム、ウォームホイール等からなる周知の駆動機構の適用が可能である。この昇降機構により、ヘッドボード１２及びフットボード１３は、ベース１１の支持部１１ｓに対して上下に昇降される、つまり、ヘッドボード１２及びフットボード１３がベース１１に対して上下に昇降される構成となっており、これにより、床面から後述するボトム面までの高さを、所定の範囲内で調整することが可能となっている。
【００１７】
なお、昇降機構は、ヘッドボード１２側とフットボード１３側とを独立して作動させることも可能であり、例えば、ヘッドボード１２側をフットボード１３側より高く昇降させることによって、ボトム面を床面に対して傾斜した状態にするチルト動作を行うことができる。
【００１８】
ヘッドボード１２とフットボード１３は、一対のフレーム１４、１４を介して互いに連結されている。具体的には、ヘッドボード１２とフットボード１３の間に延在して設けられるフレーム１４の両端部が、ヘッドボード１２及びフットボード１３の対応する位置にそれぞれ設けられたコの字状のブラケット１２ｂ、１３ｂによってそれぞれ挟持され、この状態で、フレーム１４を枢支するためのピン１２ｐ、１３ｐが、前述のブラケット１２ｂ、１３ｂと、これらに挟持されたフレーム１４の各端部とを貫通して挿通されている。これにより、フレーム１４はヘッドボード１２及びフットボード１３に枢支される構成となっている。
【００１９】
フレーム１４におけるフットボード１３側には、フレーム１４に沿って延在する長孔１４ｈが形成されている。この長孔１４ｈ内には前述のピン１３ｐが挿通され、これにより、フレーム１４はフットボード１３に対する相対的な移動が可能となっている。つまり、フレーム１４は、フットボード１３に対して相対的に伸縮可能な構成となっている。
【００２０】
なお、両フレーム１４、１４間には、複数の床板が設けられており、これによりベッドのボトム面が形成されている。
【００２１】
また、先に述べた一対のベース１１、１１は、その脚部１１ｂにて、連結部材１５を介して互いに連結されている。連結部材１５としては、例えば、剛性を有する金属棒等を適用すればよい。この連結部材１５は、前述の長孔１４ｈによりフレーム１４に対する相対的な移動が許容されるフットボード１３を、ヘッドボード１２に対して、機能上適正な位置に設定するためのものである。さらには、両ベース１１、１１間が強固に連結されることによって、ベッド全体としての剛性を向上させることにもつながり、有効な構成である。
【００２２】
次に、本発明の電動式昇降ベッド１０におけるチルト動作時の作動について説明する。
【００２３】
図３は、本発明の電動式昇降ベッド１０において、チルト動作が行われた状態を示している。
【００２４】
ヘッドボード１２側とフットボード１３側とが同じ高さにある状態から、ヘッドボード１２側の昇降機構を作動させると、ヘッドボード１２側のみが上方へと昇降する。この場合、フレーム１４におけるヘッドボード１２側は、ブラケット１２ｂに挿通されたピン１２ｐを中心として、ヘッドボード１２に対して下方へと回動し、一方で、フレーム１４におけるフットボード１３側は、ブラケット１３ｂに挿通されたピン１３ｐを中心として、フットボード１３に対して上方へと回動する。ここで、フレーム１４は、前述した長孔１４ｈを介してフットボード１３のブラケット１３ｂに挿通されたピン１３ｐに枢支されており、フットボード１３に対する相対的な移動が許容された構成となっている。したがって、フレーム１４におけるフットボード１３側は、前述した様に、ブラケット１３ｂに挿通されたピン１３ｐを中心に上方に回動し、同時に、ヘッドボード１２側に引っ張られるような状態となるが、フットボード１３に対する相対的な移動を可能とする長孔１４ｈの作用によって、フレーム１４がフットボード１３に対して相対的に伸縮するような格好となる。その結果、ヘッドボード１２が上方へと昇降するにつれて、ヘッドボード１２及びフットボード１３により枢支されるフレーム１４が、同ヘッドボード１２及びフットボード１３間にて徐々に傾斜することとなり、電動式昇降ベッド１０におけるチルト動作を実現することができる。
【００２５】
以上説明した様に、本発明の電動式昇降ベッド１０によれば、フレーム１４はヘッドボード１２に枢支されると共に、フレーム１４に沿って延在する長孔１４ｈを介してフットボード１３に枢支される構成となっている。この長孔１４ｈは、フレーム１４のフットボード１３に対する相対的な移動を可能とし、その結果、フレーム１４は、フットボード１３に対して相対的に伸縮可能な構成となっている。したがって、ヘッドボード１２側の上方への昇降にともなって、フレーム１４は、そのヘッドボード１２側においてはヘッドボード１２に対して下方へと枢軸回転する。一方で、フットボード１３側においては、フットボード１３に対して上方へと枢軸回転し、同時に、長孔１４ｈの作用によってフットボード１３に対して相対的に伸縮するような格好となり、これにより、電動式昇降ベッド１０におけるチルト動作が実現される。なお、このチルト動作の過程においては、ヘッドボード１２とフレーム１４の位置だけが変化しており、ヘッドボード１２については、当初の設置状態からベース１１に対して真っ直ぐに上方へと昇降し、フレーム１４については、長孔１４ｈの作用によってヘッドボード１２及びフットボード１３間にて傾斜した状態となっている。ここで、電動昇降式ベッド１０の設置スペースについて着目してみると、上述のヘッドボード１２とフレーム１４の位置が変化したことによって余分な設置スペースは必要となっていない。したがって、チルト動作時においても余分な設置スペースを必要としない電動式昇降ベッド１０を実現することができる。
【図面の簡単な説明】
【００２６】
【図１】従来の電動式昇降ベッドにおいて、チルト動作が行われた状態を示す図である。
【図２】本発明の電動式昇降ベッドにおいて、通常の昇降動作が行われた状態を示す図である。
【図３】本発明の電動式昇降ベッドにおいて、チルト動作が行われた状態を示す図である。
【符号の説明】
【００２７】
１０  電動式昇降ベッド
１１  ベース
１２  ヘッドボード
１３  フットボード
１４  フレーム
１４ｈ  長孔
１５  連結部材
【図１】
2005110789.tif 000003
【図２】
2005110789.tif 000004
【図３】
2005110789.tif 000005